(57)【要約】【課題】  患者に対して確実且つ効果的に医薬品の服用時期を通知することができる映像機器等を提供することを目的とする。【解決手段】  電子番組ガイド表を表示する機能、並びに映像／音声信号発生部３１７を有するテレビ３０であって、医薬品の名称または記号を含む所定事項と、その医薬品の服用指定日時と、に関するスケジュール情報を取得するスケジュール情報取得手段３１１と、取得したスケジュール情報を記憶するスケジュール情報記憶部３１３と、映像／音声信号発生部に対し、電子番組ガイド表と連動してスケジュール情報を表示させるための制御を行う連動表示制御手段３１４と、映像／音声信号発生部に対し、服用指定日時および／またはその前後所定時間内に、医薬品の服用を促すための報知制御を行う報知制御手段３２２と、を備えたものである。【選択図】  図８
2007074068.tif 000002
【特許請求の範囲】
【請求項１】
内部若しくは外部に設けられた表示画面上に電子番組ガイド表を表示する機能、映像信号発生部および音声信号発生部を有する映像機器であって、
医薬品の名称または記号を含む所定事項と、その医薬品の服用指定日時と、に関するスケジュール情報を取得するスケジュール情報取得手段と、
取得した前記スケジュール情報を記憶するスケジュール情報記憶部と、
前記映像信号発生部に対し、記憶している前記スケジュール情報を、前記電子番組ガイド表と連動して前記表示画面上に表示させるための制御を行う連動表示制御手段と、
前記映像信号発生部および／または前記音声信号発生部に対し、記憶している前記スケジュール情報に基づき、前記服用指定日時および／またはその前後所定時間内に、前記医薬品の服用を促すための報知制御を行う報知制御手段と、を備えていることを特徴とする映像機器。
【請求項２】
前記報知制御手段は、前記表示画面上に、前記服用指定日時に服用すべき医薬品の前記所定事項、および／またはこれに関連付けられたメッセージを示すテロップを表示させることによって、前記報知制御を行うことを特徴とする請求項１に記載の映像機器。
【請求項３】
前記報知制御手段は、前記表示画面上に、前記服用指定日時に服用すべき医薬品の前記所定事項、および／またはこれに関連付けられたメッセージを示す子画面を表示させることによって、前記報知制御を行うことを特徴とする請求項１に記載の映像機器。
【請求項４】
前記報知制御手段により制御される報知の形態として、少なくとも前記表示画面上に子画面を表示させる子画面表示、並びに前記表示画面上にテロップを表示させるテロップ表示を含み、これらの報知形態の中からいずれか１つ、または任意の組み合わせを選択する報知形態選択手段をさらに備え、
前記報知制御手段は、前記報知形態選択手段によって選択された報知形態に従って、前記報知制御を行うことを特徴とする請求項１に記載の映像機器。
【請求項５】
前記報知制御手段により制御される報知の形態として、前記服用指定日時にＬＥＤを点灯または点滅するＬＥＤ表示、前記服用指定日時に音を発生する音報知、前記服用指定日時に前記医薬品の服用を促すメッセージを音声で案内する音声ガイド、前記服用指定日時に前記表示画面を前記医薬品の服用を促すメッセージを示す表示画面に切り替える画面切り替え表示、を含み、
前記報知形態選択手段は、これらの報知形態の中からいずれか１つ、または任意の組み合わせを選択することを特徴とする請求項４に記載の映像機器。
【請求項６】
前記報知形態選択手段は、前記表示画面上に表示を行っている画面表示状態における報知形態と、前記表示画面上に表示を行っていないスタンバイ状態における報知形態と、をそれぞれ独立して選択可能に構成されていることを特徴とする請求項４または５に記載の映像機器。
【請求項７】
前記映像信号発生部に対し、前記スケジュール情報記憶部に記憶されているスケジュール情報を、処方歴として前記表示画面上に表示させるための制御を行う処方歴表示制御手段をさらに備えていることを特徴とする請求項１ないし６のいずれか１項に記載の映像機器。
【請求項８】
前記報知制御手段による報知制御に対する所定のキー操作により、前記医薬品の服用実施の有無に関する情報を取得する服用結果取得手段と、
前記服用実施の有無に関する情報の取得履歴を、前記医薬品の所定事項および前記服用指定日時と関連づけて、服用履歴として記憶する服用履歴記憶部と、
前記映像信号発生部に対し、前記服用履歴を、前記表示画面上に表示させるための制御を行う服用履歴表示制御手段と、をさらに備えていることを特徴とする請求項１ないし７のいずれか１項に記載の映像機器。
【請求項９】
前記スケジュール情報は、前記医薬品の服用に関する詳細情報を、所定のＷｅｂサイトから取得するためのＵＲＬを含み、
前記報知制御手段による報知制御と連動して、若しくは前記詳細情報の取得指示に従って、前記ＵＲＬにアクセスし、前記詳細情報を取得する詳細情報取得手段と、
前記映像信号発生部に対し、前記詳細情報を、前記表示画面上に表示させるための制御を行う詳細情報表示制御手段と、をさらに備えていることを特徴とする請求項１ないし８のいずれか１項に記載の映像機器。
【請求項１０】
前記スケジュール情報は、前記服用指定日時および／または、食事または就寝を含む生活リズムの前後を目安とした服用時期を示す情報を含み、
前記生活リズムの時刻を設定する時刻設定手段、をさらに備え、
前記報知制御手段は、前記服用指定日時を、前記時刻設定手段により設定された時刻に合わせて前記報知制御を行うことを特徴とする請求項１ないし９のいずれか１項に記載の映像機器。
【請求項１１】
前記服用指定日時に対し、前記報知制御手段により報知制御される前記前後所定時間を設定する調整時間設定手段をさらに備え、
前記報知制御手段は、前記服用指定日時から、設定された前記前後所定時間分調整した時間に前記報知制御を行うことを特徴とする請求項１ないし１０のいずれか１項に記載の映像機器。
【請求項１２】
１以上の、請求項１ないし１１のいずれか１項に記載の映像機器と、
前記映像機器に、前記スケジュール情報を配信する１以上の情報配信装置と、を有することを特徴とする服薬管理システム。
【請求項１３】
内部若しくは外部に設けられた表示画面上に電子番組ガイド表を表示する機能、映像信号発生部および音声信号発生部を有する映像機器の服薬管理方法であって、
前記映像機器が、
医薬品の名称または記号を含む所定事項と、その医薬品の服用指定日時と、に関するスケジュール情報を取得するステップと、
前記映像信号発生部に対し、取得した前記スケジュール情報を、前記電子番組ガイド表と連動して前記表示画面上に表示させるための制御を行うステップと、
前記映像信号発生部および／または前記音声信号発生部に対し、取得した前記スケジュール情報に基づき、前記服用指定日時および／またはその前後所定時間内に、前記医薬品の服用を促すための報知制御を行うステップと、を実行することを特徴とする映像機器の服薬管理方法。
【請求項１４】
コンピュータに、請求項１３に記載の映像機器の服薬管理方法における各ステップを実行させるためのプログラム。
【発明の詳細な説明】
【技術分野】
【０００１】
本発明は、服薬管理機能を搭載した映像機器、服薬管理システム、映像機器の服薬管理方法およびそのプログラムに関するものである。
【背景技術】
【０００２】
医療機関や調剤薬局から処方された医薬品は、薬袋や処方箋に記載された用法、用量に従って服用される。しかしながら、この指示通りに服用する患者は、現状半数程度に過ぎず、その理由としては「飲み忘れ」が最も多いと云われている。このように、医師の指示通りに服薬を行わないこと（ノンコンプライアンス）により、病気によっては、さらに病状を悪化させ、生命に関わる場合もあるため、ノンコンプライアンスを効果的に防止する方策が望まれている。
【０００３】
そこで、このようなノンコンプライアンスの対策方法の一例として、例えば、特許文献１には、ピルの服用時期などの医療情報を電子メールによって携帯電話等に通知するシステムが開示されている。
【特許文献１】特開２００３−３３１０６１号公報
【発明の開示】
【発明が解決しようとする課題】
【０００４】
ところが、当該システムでは、メール送信可能な範囲に通信相手がいない場合や電源が切断されている場合は、服用時期を通知することができない。ピルの場合は、さほど服用時間が厳密に規定されていないため、数時間おきに複数回メール送信を繰り返すことで対応可能かもしれないが、「朝食前」、「昼食後」など、比較的固定された時間に服用を必要とする医薬品の場合は、問題である。しかも、この服用時期を知らせる電子メールを受信するために、携帯電話を常に電子メール受信可能な状態に保つのは困難である。
【０００５】
本発明は、上記の問題点に鑑み、ユーザ（患者）に対して確実且つ効果的に医薬品の服用時期を通知することができる映像機器、服薬管理システム、映像機器の服薬管理方法およびそのプログラムを提供することを目的とする。
【課題を解決するための手段】
【０００６】
本発明の映像機器は、内部若しくは外部に設けられた表示画面上に電子番組ガイド表を表示する機能、映像信号発生部および音声信号発生部を有する映像機器であって、医薬品の名称または記号を含む所定事項と、その医薬品の服用指定日時と、に関するスケジュール情報を取得するスケジュール情報取得手段と、取得したスケジュール情報を記憶するスケジュール情報記憶部と、映像信号発生部に対し、記憶しているスケジュール情報を、電子番組ガイド表と連動して表示画面上に表示させるための制御を行う連動表示制御手段と、映像信号発生部および／または音声信号発生部に対し、記憶しているスケジュール情報に基づき、服用指定日時および／またはその前後所定時間内に、医薬品の服用を促すための報知制御を行う報知制御手段と、を備えていることを特徴とする。
【０００７】
また、本発明の映像機器の服薬管理方法は、内部若しくは外部に設けられた表示画面上に電子番組ガイド表を表示する機能、映像信号発生部および音声信号発生部を有する映像機器の服薬管理方法であって、映像機器が、医薬品の名称または記号を含む所定事項と、その医薬品の服用指定日時と、に関するスケジュール情報を取得するステップと、映像信号発生部に対し、取得したスケジュール情報を、電子番組ガイド表と連動して表示画面上に表示させるための制御を行うステップと、映像信号発生部および／または音声信号発生部に対し、取得したスケジュール情報に基づき、服用指定日時および／またはその前後所定時間内に、医薬品の服用を促すための報知制御を行うステップと、を実行することを特徴とする。
【０００８】
これらの構成によれば、取得したスケジュール情報（スケジュール情報記憶部に記憶している情報）に基づく服薬指定日時に、医薬品の服用を促すための報知制御を行うため、ユーザは、当該報知によって医薬品の飲み忘れを防止することができる。また、身近な映像機器を用いて、電子番組ガイド表と連動してスケジュール情報を表示するため、これら服用報知と連動表示とにより、確実且つ効果的な服薬管理を行うことができる。なお、「服用指定日時および／またはその前後所定時間内に行われる服用報知」とは、スケジュール情報を生成する側で設定された前後所定時間に基づくものであっても良いし、映像機器側（スケジュール情報を取得する側）で設定された前後所定時間に基づくものであっても良い。
【０００９】
上記の映像機器において、報知制御手段は、表示画面上に、服用指定日時に服用すべき医薬品の所定事項、および／またはこれに関連付けられたメッセージを示すテロップを表示させることによって、報知制御を行うことが好ましい。
【００１０】
この構成によれば、テロップ表示により服用報知を行うため、視聴中の番組の視認性を損ねることなく、ユーザに対し、効果的に医薬品の服用を促すことができる。なお、テロップ表示については、テロップの表示回数、表示時間間隔、文字の大きさおよび色などが設定可能に構成されることが好ましい。
【００１１】
上記の映像機器において、報知制御手段は、表示画面上に、服用指定日時に服用すべき医薬品の所定事項、および／またはこれに関連付けられたメッセージを示す子画面を表示させることによって、報知制御を行うことが好ましい。
【００１２】
この構成によれば、子画面表示により服用報知を行うため、視聴中の番組の視認性を損ねることなく、ユーザに対し、効果的に医薬品の服用を促すことができる。なお、子画面表示については、子画面のサイズ、表示位置、表示時間、文字の大きさおよび色などが設定可能に構成されることが好ましい。
【００１３】
上記の映像機器において、報知制御手段により制御される報知の形態として、少なくとも表示画面上に子画面を表示させる子画面表示、並びに表示画面上にテロップを表示させるテロップ表示を含み、これらの報知形態の中からいずれか１つ、または任意の組み合わせを選択する報知形態選択手段をさらに備え、報知制御手段は、報知形態選択手段によって選択された報知形態に従って、報知制御を行うことが好ましい。
【００１４】
この構成によれば、ユーザの好みやニーズに応じて、報知形態を選択することができる。なお、報知形態の選択は、医薬品毎若しくは服用指定日時毎に選択する構成でも良いし、全てのスケジュール情報に対して一括して選択する構成でも良い。
【００１５】
上記の映像機器において、報知制御手段により制御される報知の形態として、服用指定日時にＬＥＤを点灯または点滅するＬＥＤ表示、服用指定日時に音を発生する音報知、服用指定日時に医薬品の服用を促すメッセージを音声で案内する音声ガイド、服用指定日時に表示画面を医薬品の服用を促すメッセージを示す表示画面に切り替える画面切り替え表示、を含み、報知形態選択手段は、これらの報知形態の中からいずれか１つ、または任意の組み合わせを選択することが好ましい。
【００１６】
この構成によれば、ＬＥＤ表示、音報知、音声ガイド、画面切り替え表示を含む多数の選択肢の中から、報知形態を選択することができる。また、これらの選択肢による報知を組み合わせた報知形態も選択可能であるため、よりユーザの好みやニーズにあった報知を行うことができる。
【００１７】
上記の映像機器において、報知形態選択手段は、表示画面上に表示を行っている画面表示状態における報知形態と、表示画面上に表示を行っていないスタンバイ状態における報知形態と、をそれぞれ独立して選択可能に構成されていることが好ましい。
【００１８】
この構成によれば、画面表示状態と、スタンバイ状態（非画面表示状態）とに分けて、報知形態を選択することができる。したがって、例えば画面表示状態では、視聴中の番組の視認性を損ねることがないテロップ表示または子画面表示を選択し、スタンバイ状態では、分かり易く表示可能な画面切り替え表示（スタンバイ状態では、一時的にスケジュール内容等を表示する表示画面が表示されることとなる）を選択するなど、状況に応じた報知形態を選択することができる。
【００１９】
上記の映像機器において、映像信号発生部に対し、スケジュール情報記憶部に記憶されているスケジュール情報を、処方歴として表示画面上に表示させるための制御を行う処方歴表示制御手段をさらに備えていることが好ましい。
【００２０】
この構成によれば、記憶しているスケジュール情報を、処方歴として映像機器に表示させることができるため、処方歴を記録した「お薬手帳」をわざわざ参照しなくとも、当該表示により処方歴を確認することができる。
【００２１】
上記の映像機器において、報知制御手段による報知制御に対する所定のキー操作により、医薬品の服用実施の有無に関する情報を取得する服用結果取得手段と、服用実施の有無に関する情報の取得履歴を、医薬品の所定事項および服用指定日時と関連づけて、服用履歴として記憶する服用履歴記憶部と、映像信号発生部に対し、服用履歴を、表示画面上に表示させるための制御を行う服用履歴表示制御手段と、をさらに備えていることが好ましい。
【００２２】
この構成によれば、医薬品の服用実施の有無に関する情報の取得履歴を服用履歴として映像機器内に記憶しておき、これを表示させることができるため、スケジュール情報だけでなく、服用履歴についても管理することができる。
【００２３】
上記の映像機器において、スケジュール情報は、医薬品の服用に関する詳細情報を、所定のＷｅｂサイトから取得するためのＵＲＬを含み、報知制御手段による報知制御と連動して、若しくは詳細情報の取得指示に従って、ＵＲＬにアクセスし、詳細情報を取得する詳細情報取得手段と、映像信号発生部に対し、詳細情報を、表示画面上に表示させるための制御を行う詳細情報表示制御手段と、をさらに備えていることが好ましい。
【００２４】
この構成によれば、服用指定日時および／またはその前後所定時間内、すなわち医薬品を服用すべきタイミングに、医薬品の服用に関する詳細情報を表示させることができるため、ユーザはその詳細情報を確認した上で、医薬品を服用することができる。なお、「詳細情報」とは、副作用、相互作用（飲み合わせ）、薬理作用等に関する情報など、服用の際の注意事項の他、医薬品の包装コード、効能、一般名、規格、製造メーカ等に関する情報を含むものである。
【００２５】
上記の映像機器において、スケジュール情報は、服用指定日時および／または、食事または就寝を含む生活リズムの前後を目安とした服用時期を示す情報を含み、生活リズムの時刻を設定する時刻設定手段、をさらに備え、報知制御手段は、服用指定日時を、時刻設定手段により設定された時刻に合わせて報知制御を行うことが好ましい。
【００２６】
この構成によれば、食事前、就寝前といった生活リズムの服用時期を示す情報と、ユーザによって設定された生活リズムの時刻と、に基づいて報知を行う。したがって、例えば服用時期を示す情報に「朝食前に服用する」といった情報が含まれている場合であって、ユーザが朝食前の時間設定をＡＭ７：００に設定した場合、「朝食前に服用する」と指定されている医薬品については、ＡＭ７：００に報知を行う。これにより、ユーザは自分の生活リズムに合わせて、医薬品の服用を促すための報知を行わせることができる。
【００２７】
上記の映像機器において、服用指定日時に対し、報知制御手段により報知制御される前後所定時間を設定する調整時間設定手段をさらに備え、報知制御手段は、服用指定日時から、設定された前後所定時間分調整した時間に報知制御を行うことが好ましい。
【００２８】
この構成によれば、ユーザは、服用指定日時に対する調整時間を設定することができる。したがって、例えば服用指定日時がＡＭ７：００の場合（ユーザが朝食前の時間設定をＡＭ７：００に設定した場合も含む）であって、その時間の１０分前に報知させるように前後所定時間（調整時間）を設定した場合は、ＡＭ６：５０に報知を行う。これにより、ユーザは自分の好みやニーズに合わせて、医薬品の服用を促すための報知を行わせることができる。
【００２９】
本発明の服薬管理システムは、１以上の、上記に記載の映像機器と、映像機器に、スケジュール情報を配信する１以上の情報配信装置と、を有することを特徴とする。
【００３０】
本発明のプログラムは、コンピュータに、上記に記載の映像機器の服薬管理方法における各ステップを実行させるためのものであることを特徴とする。
【００３１】
この服薬管理システムにより、またこのプログラムを実行することにより、ユーザに対して確実且つ効果的に医薬品の服用時期を通知することができる。
【発明を実施するための最良の形態】
【００３２】
以下、本発明の一実施形態に係る映像機器、服薬管理システム、映像機器の服薬管理方法およびそのプログラムについて、添付図面を参照しながら詳細に説明する。本発明は、映像機器に医薬品の服用スケジュールに関するスケジュール情報を入力し、これを電子番組ガイド表と連動して表示させると共に、当該スケジュール情報に基づいて患者に対して医薬品の服用を促すための報知を行うものである。そしてこれにより、患者は身近な映像機器を用いて、医薬品の飲み忘れを防止することができるといった作用・効果を奏する。そこで、医薬品を処方する調剤薬局からスケジュール情報が配信され、且つ映像機器として、身近なテレビを用いた場合を例に挙げて説明する。
【００３３】
図１は、本発明の一実施形態に係る服薬管理システム１０のシステム構成図である。同図に示すように、服薬管理システム１０は、ユーザ（以下、「患者」と称する）が服用すべき医薬品名、その用法・用量並びに服用期間等の情報であるスケジュール情報を配信する１以上の情報配信装置２０ａ，２０ｂ（２台のみ図示）と、電子メール機能を有し当該スケジュール情報を受信する携帯電話４５やテレビ（映像機器）３０等の情報受信装置と、を有し、これらの装置は、インターネット等の通信回線４０によって接続可能に構成されている。
【００３４】
情報配信装置２０は、調剤薬局に設置され、処方箋５１の内容を入力するだけで医療保険の算出を行うレセプト・コンピュータとしても機能する。また、処方箋５１（図２参照）の内容、並びに患者がスケジュール情報の配信サービスを申し込む際の配信申込書５２（図３参照）の内容が入力されることによって、申込のあった患者の携帯電話３０やテレビ３０に、電子メールを用いてその患者用のスケジュール情報を配信する。
【００３５】
また、情報配信装置２０には、上記の服薬管理サービスを実現するためのプログラムが、ＣＤ―ＲＯＭ等の記録媒体の読み取り、若しくは所定のＷｅｂサイトからのプログラムダウンロードサービスにより予めインストールされている。
【００３６】
なお、処方箋５１には、図２に示すように、処方箋５１の「作成日」、患者氏名、生年月日、性別等の「患者情報」、医療機関名、処方医師、処方日等の「処方医情報」、医薬品名、用法・用量、服用期間等の「処方薬情報」が記載されており、情報配信装置２０は、これらのうち「処方薬情報」に基づいて、配信用のスケジュール情報を生成する。また、配信申込書５２には、図３に示すように、配信申込書５２の「申込日」、配信先を指定するための「申込区分」、患者氏名、生年月日、性別、住所、電話番号、ＰＣおよび携帯電話３０のＥ―ｍａｉｌアドレス等の「配信先情報」が記載されており、情報配信装置２０は、これらのうち「配信先情報」に基づいて、電子メールを配信する。なお、「申込区分」としては、「テレビに配信」が指定されたものとして、以下説明する。
【００３７】
情報配信装置２０は、この配信申込書５２の内容を、配信先情報として保存しておき、同一の患者が再度処方箋５１を提出した場合は、この記憶しておいた配信先情報に基づいて配信を行う。つまり、配信申込書５２の提出は、調剤薬局の初回利用時のみで良く、２回目以降は、処方箋５１に記載されている患者情報（患者氏名、生年月日、性別等の情報）と、記憶している患者情報とが一致する配信先に、電子メールが送信されることとなる。また、情報配信装置２０は、患者を区別するため、配信申込書５２の入力時に患者コードを設定し、配信先情報と関連づけて保存しておく。
【００３８】
なお、調剤薬局と、処方箋５１を作成する医療機関とが提携している場合、処方箋５１にもこの患者コードを記載することが好ましい。この構成によれば、個人情報を保護することができると共に、同姓同名であっても確実に患者を区別することができる。またこの場合、調剤薬局は、医療機関から処方箋５１を電子データとして、通信回線若しくは記録媒体を介して取得し、情報配信装置２０にその内容を自動入力させるようにしても良い。
【００３９】
一方、情報受信装置（携帯電話４５およびテレビ３０）にも、服薬管理サービスを受けるためのプログラムがインストールされている。すなわち、当該プログラムを、携帯電話４５の情報配信サービスや、所定のＷｅｂサイトからのプログラムダウンロードサービスにより取得することによって、服薬管理機能が搭載される。
【００４０】
ここで、テレビ３０の装置構成について簡単に説明する。テレビ３０は、その前面に、表示画面３１、スピーカ３２、メモリカードスロット３３、赤外線受信部３４、ＬＥＤから成る各種インジケータ３５および電源スイッチ３６を備えている。また、地上放送やＢＳ放送を視聴するためのアンテナ３８と接続され、各種チューナ、映像／音声信号の処理回路および増幅回路は本体に内蔵されている。また、通信回線４０と接続され、電子メールの送受信やＷｅｂサイトの閲覧・検索ができるようになっている。さらに、リモコン（赤外線リモートコントロール送信機）３９を付属しており、番組の選択や各種情報の入力を行い得るようになっている。なお、上記の赤外線受信部３４は、当該リモコン３９との送受信の他、携帯電話４５との赤外線通信にも用いられるようになっている（詳細については後述する）。
【００４１】
上記の構成により、テレビ３０は、情報配信装置２０から受信した電子メールを解析し、その解析結果であるスケジュール情報を記憶する。そして、当該スケジュール情報を電子番組ガイド表（ＥＰＧ）と連動して表示画面３１上に表示させたり、当該スケジュール情報に基づく服用指定日時に、ユーザに対して医薬品の服用を促すための報知を行ったりする。
【００４２】
図４は、スケジュール情報を電子番組ガイド表と連動させて表示する連動表示画面ＤＧを示したものである。この連動表示画面ＤＧは、電子番組ガイド表を見るためのリモコン操作により表示させることができ、画面左部に表示される個人スケジュール表示部（スケジュール情報の表示欄）１１１と、その右側に表示される番組表示部１１２と、から成る。このように、頻繁に利用する電子番組ガイド表機能と連動して、スケジュール情報を表示することで、特別な操作を必要としなくともスケジュール内容を確認することができると共に、確認する機会が多くなるため医薬品の飲み忘れを効果的に防止することができる。
【００４３】
また、図５は、スケジュール情報の報知画面ＤＴ，ＤＣを示したものである。同図（ａ）は、テロップ表示１２１により報知を行うテロップ表示画面ＤＴ、同図（ｂ）は、子画面表示１２２により報知を行う子画面表示画面ＤＣである。両図に示すように、服用指定日時になると、種々の報知形態で、患者に服用を促すための報知を行う。なお、当該報知形態は、選択可能であり、さらに報知の仕方（報知方法）に関する詳細な設定も行い得るようになっている。
【００４４】
図１の説明に戻る。もう一つの情報受信装置である携帯電話４５は、スケジューラ（スケジュール管理機能）を搭載しており、テレビ３０と同様に、スケジュールの表示・管理、並びに入力されたスケジュール情報に基づく報知を行う。すなわち、情報配信装置２０から受信した電子メールを解析し、その解析結果であるスケジュール情報をスケジューラに登録することで、服薬管理機能とスケジューラとの協働により、服薬管理を行う。具体的には、表示画面４６上に、服用時間が記載されたカレンダーを表示させたり、電子音（アラーム）、振動（バイブレータ）、ＬＥＤ表示、表示画面４６上へのメッセージ表示等により、患者に医薬品の服用を促すための報知を行う。
【００４５】
また、テレビ３０に電子メール機能が搭載されていない場合、当該携帯電話４５で受信したスケジュール情報を、赤外線通信を利用してテレビ３０（赤外線受信部３４）に送信でき、携帯電話４５とテレビ３０との両方で、服薬管理を行うことができるようになっている。なお、携帯電話４５については、テレビ３０への情報提供ができる点以外は、あまり本発明の主旨と関係がないため、以降の詳細な説明は省略する。したがって、本発明は、情報配信装置２０とテレビ３０だけで構成することも可能である。
【００４６】
次に、図６のブロック図を参照し、情報配信装置２０の制御構成について説明する。同図に示すように、情報配信装置２０は、情報入力手段２１１、スケジュール情報記憶部２１２、配信先情報記憶部２１３、電子メール送信データ生成手段２１４、医薬品マスタＭ１および電子メール送信手段２１５を有している。
【００４７】
情報入力手段２１１は、キーボードやマウス等から成り、処方箋５１（図２参照）の内容（スケジュール情報）や、配信申込書５２の内容（配信先情報）を入力する。
【００４８】
スケジュール情報記憶部２１２は、情報入力手段２１１によって入力されたスケジュール情報に含まれる処方薬情報（「医薬品名」、「用法・用量」、「服用期間」などの情報）を、患者別（患者コード別）に記憶するものである。
【００４９】
配信先情報記憶部２１３は、情報入力手段２１１によって入力された配信先情報（テレビ３０のＥ―ｍａｉｌアドレス等の情報）を、不揮発に記憶するものである。上記のとおり、配信申込書５２の入力は、一人の患者に対して初回の処方箋５１提出時のみであり、２回目以降は入力されない。
【００５０】
電子メール送信データ生成手段２１４は、スケジュール情報記憶部２１２および配信先情報記憶部２１３に記憶されている情報に基づいて、電子メール送信データに含めるべき各種情報を生成する。図７に示すように、電子メール送信データには、「スケジュール情報（処方薬情報および付加情報）」並びに「配信先情報（テレビ３０のＥ−ｍａｉｌアドレス）」が含まれている。これらのうち、「配信先情報」は配信先情報記憶部２１３から患者コードを索引として読み出したものである。
【００５１】
電子メール送信データ生成手段２１４は、配信用の「スケジュール情報」として、「処方薬情報」および「付加情報」を生成する。このうち、「処方薬情報」は、処方箋５１に記載されている情報そのものであり、「付加情報」は、これらのうち医薬品名または記号等の所定事項を索引とした医薬品マスタＭ１の参照結果に基づくものである。
【００５２】
医薬品マスタＭ１は、上記の「付加情報」として、医薬品別に、医薬品の服用に関する詳細情報を所定のＷｅｂサイトから取得するためのＵＲＬを記憶している。このＵＲＬをスケジュール情報に付加することで、これを受信したテレビ３０が、当該ＵＲＬに基づいてＷｅｂサイトにアクセスし、詳細情報を取得することができるようになっている。なお、付加情報として、当該ＵＲＬ以外にも、医薬品の形態を示す画像データ（静止画データ，イラスト等も含む）や、医薬品の服用方法を示す動画データを含めても良い。この構成によれば、服用報知時等にこれらのデータをテレビ３０の表示画面３１上に表示させることができ、患者はこれらを確認した上で、適切な服用を行うことができる。
【００５３】
なお、これら配信用の「スケジュール情報」は、テレビ３０の電子番組ガイド表（図４参照）に登録可能な形式（プロトコル、フォーマット）に従って各項目（各情報）がコード化された情報であり、テレビ３０は、このコード化された情報を解析して、スケジュール登録を行う。このため、テレビ３０によって、電子番組ガイド表への登録形式が異なる場合は、配信申込書５２（図３参照）に、テレビ３０のメーカ名や機種名等の機種情報を記載するようにし、情報配信装置２０は、それらの機種情報に応じて、適切な形式のスケジュール情報を生成することが好ましい。また、「付加情報」についても、配信申込書５２に患者の希望を記載するようにし、その内容に応じて、送信する／送信しないを設定できるようにしても良い。
【００５４】
図６の説明に戻る。電子メール送信手段２１５は、電子メール送信データ生成手段２１４によって生成された電子メール送信データを、テレビ３０に送信する（配信申込書５２の申込区分で携帯電話が指定されている場合は、携帯電話にも送信する，図３参照）ものである。なお、送信時には、テレビ３０が電子メールを受信した際に認証（セキュリティチェック）を行うための認証コードを、電子メール送信データに付加することが好ましい。この構成によれば、テレビ３０への不正なスケジュールの登録を防止することができる。
【００５５】
次に、図８を参照し、テレビ３０の制御構成について説明する。同図に示すように、テレビ３０は、スケジュール情報取得手段３１１、スケジュール情報解析手段３１２、解析用マスタＭ２、スケジュール情報記憶部３１３、連動表示制御手段３１４、連動表示手段３１５、パスワード入力手段３１６および映像／音声信号発生部３１７を有している。
【００５６】
スケジュール情報取得手段３１１は、情報配信装置２０から送信された電子メールを受信することにより、スケジュール情報を取得する。このとき、電子メールに認証コードが含まれている場合は、当該認証コードに基づいて認証を行い、取得した電子メールが真正であると判定した場合のみ、電子メールの受信を許可することが好ましい。また、スケジュール情報取得手段３１１は、携帯電話４５から赤外線受信部３４（図１参照）に送信されたスケジュール情報を取得することも可能であるし、メモリカードスロット３３に挿入されたメモリカードから読み出したスケジュール情報を取得することも可能である。
【００５７】
スケジュール情報解析手段３１２は、スケジュール情報取得手段３１１によって取得したスケジュール情報を、解析用マスタＭ２を参照して解析する。解析用マスタＭ２には、医薬品名、用法・用量、服用期間などを解析するためのコードと、その意味（内容）のマッピングデータ（例えば、文字列“RXO”は「処方薬情報」を示し、文字列“TID”は「１日３回」を示すなど）が格納されている。したがって、コード化されたスケジュール情報を索引として、その意味を検索することにより、電子番組ガイド表との連動表示（図４参照）や、服用報知（図３参照）を行うための情報（以下、この解析後の情報も「スケジュール情報」と称する）を生成することができる。なお、携帯電話４５から送信されたスケジュール情報や、メモリカードから読み出したスケジュール情報など、解析の必要がない場合（解析後の情報を取得した場合）は、当該スケジュール情報解析手段３１２による処理を省略する。
【００５８】
スケジュール情報記憶部３１３は、スケジュール情報解析手段３１２による解析後のスケジュール情報を記憶するものである。なお、当該スケジュール情報記憶部３１３に記憶されている情報は、後述する処方歴表示制御手段３４１によって、処方歴として表示画面３１上に表示させることができるようになっている。さらに、当該スケジュール情報記憶部３１３に記憶されている情報は、後述する報知制御手段３２２による報知制御にも用いられる。
【００５９】
連動表示制御手段３１４は、スケジュール情報記憶部３１３に記憶されている情報を、電子番組ガイド表１１２と連動して表示させる。すなわち、映像／音声信号発生部３１７（映像信号発生部）を制御することにより、連動表示手段３１５（表示画面３１）に、図４に示す連動表示画面ＤＧを表示させる。
【００６０】
図４に示すとおり、連動表示画面ＤＧは、スケジュール情報を表示する個人スケジュール表示部１１１と、電子番組ガイド表を表示する番組表示部１１２と、から成る。個人スケジュール表示部１１１は、登録された個人の名前やニックネームを各列の最上段に表示し（１１５）、各列に各個人のスケジュールを表示する。また、そのスケジュールの表示位置は、番組表示部１１２の左部にある時刻表示欄１１６における時刻表示位置と関連づけられており、例えば図示参照番号１１７は、「『父』が、７：３０〜８：００の間に、医薬品「Ａ錠」を服用する」といった内容のスケジュール情報が登録されていることを示している。
【００６１】
また、当該連動表示画面ＤＧは、個人スケジュール表示部１１１、並びに番組表示部１１２内の時刻表示欄１１６を、ウィンドウ枠１１３として固定した状態で、番組表示部１１２の残りの領域１１４を、左右にスクロール可能となっている。図示は、チャンネルＪＨＫ（１）の「番組ａ」が選択された状態を示しており（網掛部参照）、この状態でリモコン３９から「選択」が指示されると、その番組を視聴することができる。また、「選択」を指示せず、リモコン３９からカーソルキー等を用いて選択位置の左右方向への移動が指示されると、その指示に従って、領域１１４が左右にスクロールする。また、領域１１３については、リモコン３９からの移動指示に従って、上下のみスクロールする。さらに、領域１１３，１１４共に、上下にスクロールする場合は、上段領域１１９を、ウィンドウ枠として固定した状態で、表中の上下方向における残りの領域１２０（個人スケジュール表示部１１１および番組表示部１１２を含む）がスクロールする。
【００６２】
また、個人スケジュール表示部１１１の中の、各スケジュール内容が表示されている欄（例えば１１７）が選択されると、その詳細な情報（医薬品の名称、記号、用法／用量など）を表示する画面（詳細表示画面，図示省略）に遷移することができる。また、連動表示画面ＤＧ上に表示するメッセージ（ここでは、「Ａ錠服用」）も、この詳細表示画面で、変更することができるようになっている。さらに、個人スケジュール表示部１１１の中から、登録された個人名またはニックネーム（１１５）が選択されると、各個人の月間スケジュール情報をカレンダー形式で表示することができるようになっている（図示省略）。
【００６３】
図８の説明に戻る。パスワード入力手段３１６は、スケジュール情報取得手段３１１によるスケジュール情報の取得、並びに連動表示制御手段３１４によるスケジュール情報の表示制御のためにパスワードの入力を行うものであり、患者は、リモコン３９によってパスワードを入力する。
【００６４】
例えば、電子メールの受信によりスケジュール情報を取得する場合、電子メールの開封時に、パスワードの入力が必要となる。また、図４に示す連動表示画面ＤＧを表示させるための操作を行うと、初めは個人スケジュール表示部１１１が非表示であるが、パスワードの入力により表示させることができる（したがって、図４は、パスワード入力後の状態を示している）。このパスワードは、スケジュール情報の管理対象となっている者（本実施形態では、「父」、「母」および「長男」）が共有して用いるものであり、不図示のパスワード設定部において設定される。このように、パスワードを設定しておくことにより、家族以外の他人が勝手にスケジュール情報を取得したり見たりすることがない。
【００６５】
なお、パスワードを個人毎に設定し、個人スケジュール表示部１１１を個人毎に表示することも可能である。すなわち、入力されたパスワードと関連づけられた個人のスケジュールのみを、表示させることも可能である。この構成によれば１台の映像機器を、家族で利用する場合でも、個人のプライバシーを保ちつつ、スケジュール管理を行うことができる。
【００６６】
また、スケジュール情報取得手段３１１により、携帯電話４５やメモリカードを用いてスケジュール情報を取得する場合、その際に必要となるパスワードの入力を、初回のみに限定しても良い。この場合、例えば、携帯電話４５やメモリカードに割り当てられた固有の識別情報をスケジュール情報と共に読み出し、取得したスケジュール情報に含まれる識別情報が新規である場合、当該識別情報と、その取得の際に必要とされたパスワードとを関連付けて不図示の識別情報記憶部に記憶しておく。そして、スケジュール情報取得手段３１１で取得したスケジュール情報に含まれる識別情報が上記の識別情報記憶部に記憶されていない場合に、パスワードの入力を必要とし、識別情報が識別情報記憶部に記憶されている場合、それと関連付けられたパスワードを利用する。この構成によれば、スケジュール情報の取得の度にパスワードを入力する必要がないため、入力のための手間を省くことができる。
【００６７】
引き続き、テレビ３０のその他の制御構成について説明する。テレビ３０は、上記の構成の他、報知形態選択手段３２１、報知制御手段３２２、報知手段３２３、時刻設定手段３３１および調整時間設定手段３３２を有している。
【００６８】
報知形態選択手段３２１は、報知形態を、図５に示したテロップ表示１２１や子画面表示１２２を含む複数の選択肢の中から選択するものである。なお、選択肢の種類や選択方法については、操作手順に従って後述する（図１３（ｂ）参照）。
【００６９】
報知制御手段３２２は、スケジュール情報記憶部３１３に記憶されている情報に基づいて、患者に対し医薬品の服用を促すための報知を行う。すなわち、映像／音声信号発生部３１７（映像信号発生部および／または音声信号発生部）を制御することにより、報知手段３２３による報知を行う。報知手段３２３としては、表示画面３１、スピーカ３２、各種インジケータ３５（図１参照）がその主要部を構成する。
【００７０】
また、報知制御手段３２２は、後述する時刻設定手段３３１および調整時間設定手段３３２による設定にしたがった日時に、報知形態選択手段３２１によって選択された報知形態に従って、報知制御を行う。
【００７１】
時刻設定手段３３１は、患者が、自分の生活リズムの時刻を設定するものである。一般に、医薬品は、「食前」、「食後」、「就寝前」といったように食事や就寝の前後を基準として服用するように処方されるが（図２参照）、テレビ３０には、この「食前」、「食後」、「就寝前」といった服用時期の具体的な時間を設定可能となっている。また、図９に示すように、平日と休日では、生活リズムが異なる場合が多いため、平日用と、休日用に分けて時間設定ができ、この設定値にしたがって、個々の患者の生活リズムにあったタイミングで、服用を促すための報知を行うことが可能となる。なお、患者により特に設定が為されない場合、デフォルトの設定値に従って報知が行われることとなる。
【００７２】
調整時間設定手段３３２は、スケジュール情報に含まれる服用指定日時（および／または時刻設定手段３３１によって設定された時刻）と実際に報知を行わせる時間との差である調整時間を設定するものである。図９に示すように、例えば、時刻設定手段３３１による平日の朝食前の設定時刻がＡＭ７：００の場合（デフォルトで、ＡＭ７：００に設定されている場合も含む）であって、その時間の１０分前（−１０ｍｉｎ）に報知させるように調整時間を設定した場合は、ＡＭ６：５０に報知されることとなる。なお、本実施形態では、「朝食前」、「朝食後」など服用時期毎に調整時間を設定できるようになっているが、一律に調整時間を設定可能としても良い。
【００７３】
さらに、テレビ３０のその他の制御構成について説明する。テレビ３０は、上記の構成の他、処方歴表示制御手段３４１、処方歴表示手段３４２、服用結果取得手段３４３、服用履歴記憶部３４４、服用履歴表示制御手段３４５、服用履歴表示手段３４６、詳細情報取得手段３４７、詳細情報表示制御手段３４８および詳細情報表示手段３４９を有している。
【００７４】
処方歴表示制御手段３４１は、スケジュール情報記憶部３１３に記憶されている情報に基づいて、映像／音声信号発生部３１７（映像信号発生部）を制御し、処方歴表示手段３４２に処方歴を表示させる。具体的には、図１０に示すように、「処方日」、「医薬品名」、「用法・用量」、「服用期間または回数」に関する情報を表示する。これにより、テレビ３０を「お薬手帳」の代用として利用することができるようになっている。
【００７５】
なお、同図の最下行に示す「Ｄ錠」のように、「とんぷく」の医薬品に関しては、服用指定時間が存在しない（服用指定日時に基づく報知ができない）ため、患者は、処方歴表示手段３４２による表示でしか処方を確認することができない。したがって、「とんぷく」の医薬品が処方された場合は、同日に処方されたその他の医薬品（Ｃ錠）の服用報知時（例えば、図５に示す報知画面ＤＴ，ＤＣ表示時）に、「痛み（または発熱）がある場合は、Ｄ錠（１回１錠）を服用して下さい。」といったようなメッセージを追記することが好ましい。
【００７６】
服用結果取得手段３４３は、服用報知に対する所定のキー操作（リモコン操作）により、医薬品の服用実施の有無に関する情報を取得する。例えば、図５（ｂ）に示すように、子画面表示１２２により服用報知を行う場合は、下部に表示されている服用したか否かの質問に対する回答（数字キーの押下による情報入力）を取得する。このように、回答を入力する操作は、「服用した（はい）」、「服用しない（いいえ）」のいずれかを表す数字キーの押下など１つのキー操作で実行できることが好ましい。また、「現在はまだ服用していないが後で服用する」ことを示す選択肢をもう一つ設け、これが選択された場合には、所定時間経過後に再度報知を行うことが好ましい。この構成によれば、医薬品の飲み忘れをより効果的に防止することができる。
【００７７】
服用履歴記憶部３４４は、上記の服用結果取得手段３４３による服用実施の有無に関する情報の取得履歴を、医薬品の所定事項（名称、一般名、医薬品コード、記号等）および服用指定日時と関連づけて、服用履歴として記憶するものであり、図１１に示すように、「（服用した）日付」、「服用時期」、「医薬品名」、「服薬実施の有無」に関する情報を記憶する。この服薬実施の有無に関する情報（「○」または「×」）は、図５に示した報知画面ＤＴ、ＤＣへの入力結果（数字キーの「１」または「２」）を表している。
【００７８】
服用履歴表示制御手段３４５は、上記の服用履歴記憶部３４４に記憶されている情報に基づいて、映像／音声信号発生部３１７（映像信号発生部）を制御し、服用履歴表示手段３４６に服用履歴を表示させる。これにより、服用履歴をわざわざ記録用紙等に記録しなくとも、服用報知に対する簡単なキー操作だけで、服用履歴を記録・管理することができる。
【００７９】
詳細情報取得手段３４７は、スケジュール情報に含まれる詳細情報ＵＲＬ（付加情報，図７参照）に基づき、Ｗｅｂブラウザアプリケーション（図示省略）を用いてブラウズ要求することにより、所定のＷｅｂサイトから通信回線４０を介して医薬品に関する詳細情報を取得する。なお、当該詳細情報取得手段３４７は、報知制御手段３２２による報知制御と連動して情報取得処理を実行するが、患者のリモコン操作による詳細情報取得指示によっても、処理を実行可能である。具体的には、図４に示した服用表示（１１７）の選択を詳細情報取得指示として、情報取得処理を実行する。詳細情報としては、医薬品の服用の際の注意事項（副作用、相互作用（飲み合わせ）、薬理作用等）の他、医薬品の包装コード、効能、一般名、規格、製造メーカ等に関する情報を取得する。
【００８０】
詳細情報表示制御手段３４８は、上記の詳細情報取得手段３４７により取得した情報に基づいて、映像／音声信号発生部３１７（映像信号発生部）を制御し、詳細情報表示手段３４９に詳細情報を表示させる。例えば、報知制御手段３２２による報知制御と連動して情報取得処理を実行する場合であって、図５（ｂ）に示すように、報知手段３２３が子画面表示１２２により報知を行う場合は、服用を促すメッセージ（「薬の服用時間です。Ａ錠を、朝食後に２錠服用して下さい。」）に続けて、詳細情報を表示する。また、同図（ａ）に示すように、テロップ表示１２１により報知を行っている場合は、上記のメッセージに続けて詳細情報をテロップ表示１２１する。
【００８１】
ここで、図１２ないし図１５を参照し、上記の構成によるテレビ３０のスケジュール登録処理および服用報知処理について説明する。図１２は、スケジュール登録処理を示すフローチャートであり、図１３および図１４は、そのフローを捕捉説明するための画面表示例を示す。また、図１５は、服用報知処理を示すフローチャートである。なお、以下では、分かり易く説明するため、パスワードの設定は為されていないものとして説明する。
【００８２】
図１２に示すように、テレビ３０は、スケジュール情報取得手段３１１によりスケジュール情報を取得すると（Ｓ０１）、スケジュール情報解析手段３１２による解析結果を、表示画面３１上に表示する（Ｓ０２）。なお、当該ステップ（Ｓ０２）における表示は、連動表示手段３１５による表示とは異なるものであり、取得したスケジュール情報（処方薬情報）（１３１，図１３（ａ）画面Ｄ１参照）の内容確認を患者に促すための表示である。また、当該画面Ｄ１では、取得したスケジュール情報の報知が必要であるか否かを患者に問い合わせ（１３２，図１２のＳ０３参照）、報知が必要である場合（報知制御を行う場合，Ｓ０３：Ｙｅｓ）は、報知形態の選択画面Ｄ２（図１３（ｂ）参照）に遷移する（Ｓ０４）。
【００８３】
図１３（ｂ）に示すように、報知形態の選択画面Ｄ２では、表示画面３１上に表示を行っている画面表示状態における報知形態と、表示画面３１上に表示を行っていないスタンバイ状態における報知形態と、をそれぞれ独立して選択可能となっている。
【００８４】
報知形態としては、図５（ａ）に示したテロップ表示１２１、図５（ｂ）に示した子画面表示１２２、服用指定日時（時刻設定手段３３１や調整時間設定手段３３２により設定が行われている場合は、その設定時刻）にＬＥＤから成るインジケータ３５を点灯または点滅するＬＥＤ表示、服用指定日時（または設定時刻）にスピーカ３２から音を発生する音報知、服用指定日時（または設定時刻）にスケジュール内容若しくはこれに関連付けられたメッセージをスピーカ３２から音声で案内する音声ガイド、服用指定日時（または設定時刻）に表示画面３１をスケジュール内容若しくはこれに関連付けられたメッセージを示す表示画面に切り替える画面切り替え表示、といった６つの選択肢（１３３）を表示し、患者は、これらの報知形態のうちいずれか１つ、または任意の組み合わせを選択することができるようになっている。ここでは、報知形態として、画面表示状態およびスタンバイ状態のいずれも「テロップ表示」が選択され、画面下部の選択項目（１３４）では、「詳細設定へ」が選択されたものとして説明を続ける。
【００８５】
報知形態が選択されると、続いて図１４（ａ）に示すように、その報知形態に対する詳細設定を行う画面Ｄ３を表示する（図１２のＳ０５参照）。ここでは、テロップの表示回数、表示時間間隔（表示終了時から表示開始時までの時間間隔）、文字の大きさおよび色などの項目（１３５）について設定可能である。なお、報知形態の選択画面Ｄ２で、「子画面表示」が選択された場合は、子画面のサイズ、表示位置、表示時間、文字の大きさおよび色などの項目について設定可能であり、その他の選択が行われた場合にも、それぞれ詳細設定を行う画面を表示する（いずれも図示省略）。また、報知形態の選択画面Ｄ２で、複数の選択肢が選択された場合は、選択肢毎に、詳細設定を行う画面を表示する。なお、画面下部の選択項目（１３６）では、「ＯＫ」が選択されたものとして説明を続ける。
【００８６】
詳細設定が行われると、その時点でスケジュール情報記憶部３１３にスケジュール情報を格納する。さらに、選択項目（１３６）の「ＯＫ」の選択により、スケジュールを登録した旨（１３７）を表示する画面（Ｄ４）に遷移し（図１２のＳ０６参照）、選択項目（１３８）で「スケジュール確認」が選択された場合は、図４に示す連動表示画面ＤＧを表示する。また、選択項目（１３８）で「処方歴確認」が選択された場合は、図１０に示した処方歴を表示画面３１上に表示する。
【００８７】
続いて、図１５を参照し、服用報知処理について説明する。テレビ３０は、スケジュール情報に該当する日時（服用指定日時）、若しくは時刻設定手段３３１や調整時間設定手段３３２による設定時刻になると（Ｓ１１：Ｙｅｓ）、報知制御手段３２２により、選択された報知形態、およびその詳細設定に従って服用報知を行う（Ｓ１２）。
【００８８】
さらに、服用結果取得手段３４３により、その服用報知に含まれる服用実施の有無に関する情報を取得すると（Ｓ１３）、その取得結果を、服用履歴として服用履歴記憶部３４４に記憶する（Ｓ１４）。さらに、次に報知すべきスケジュール情報が残っている場合は、その内容を表示し（Ｓ１５）、処理を終了する。なお、当該処理（Ｓ１５）は、服用報知を行った患者と同一人物のスケジュール内容を表示することが好ましい。すなわち、図４の連動表示画面ＤＧに示すように、スケジュール情報が登録されている場合、「父」に対する報知の後に、「母」の８：３０に報知すべきスケジュール情報（「Ｃ錠服用」）を表示するのではなく、「父」のスケジュール内容（例えば、昼食後に服用すべき医薬品の名称等）を表示することが好ましい。
【００８９】
以上、説明したとおり、本実施形態によれば、テレビ３０が取得したスケジュール情報に基づく服薬指定日時に、医薬品の服用を促すための報知制御を行うため、ユーザは、身近なテレビ３０を用いて医薬品の飲み忘れを防止することができる。また、図４に示したように、電子番組ガイド表と連動してスケジュール情報を表示するため、これら服用報知と連動表示とにより、効果的な服薬管理を行うことができる
【００９０】
また、図５に示したように、テロップ表示１２１や子画面表示１２２により服用報知を行うため、視聴中の番組の視認性を損ねることなく、ユーザに対し、効果的に医薬品の服用を促すことができる。また、図１３（ｂ）および図１４（ａ）に示したように、報知形態を選択したり、その詳細設定を行ったりすることができるため、ユーザの好みやニーズに応じや服用報知を行うことができる。
【００９１】
さらに、報知形態の選択は、画面表示状態と、スタンバイ状態（非画面表示状態）とに分けて行うことができるため、例えば画面表示状態では、視聴中の番組の視認性を損ねることがないテロップ表示１２１または子画面表示１２２を選択し、スタンバイ状態では、分かり易く表示可能な画面切り替え表示（スタンバイ状態の場合、一時的にスケジュール内容等を表示する画面が表示される）を選択するなど、状況に応じた報知形態が選択できる。
【００９２】
また、時刻設定手段３３１により、食事前、就寝前といった患者の生活リズムの時刻を設定することができるため、患者の生活リズムに合わせて報知を行うことができる。さらに、調整時間設定手段３３２により、服用指定日時に対する調整時間を設定することができるため、患者の好みやニーズに合わせて報知を行うことができる。
【００９３】
なお、上記の例では、テレビ３０で服薬管理を行うものとしたが、図１６に示すように、ＤＶＤレコーダー、ビデオレコーダ、プロジェクター等の映像制御機器６０と、テレビ（受像機）３０とによって、服薬管理を行うものとしても良い。この場合、図８のブロック図に示した構成のうち、連動表示手段３１５、報知手段３２３、処方歴表示手段３４２、服用履歴表示手段３４６および詳細情報表示手段３４８をテレビ３０により実現し、他の構成を、映像制御機器６０により実現することとなる。但し、映像制御機器６０には、電子番組ガイド表を表示する機能が搭載されていることが前提である。
【００９４】
また、上記の例では、「服用指定日時」若しくは時刻設定手段３３１や調整時間設定手段３３２による設定時刻に、服用報知を行うものとしたが、情報配信装置２０側で、予め服用指定日時の１０分前に報知を行うように調整時間が設定されている場合は、設定時刻の１０分前に報知を行い、「まもなく医薬品を服用する時間です」といったように、服用時刻を予告するメッセージを表示するようにしても良い。また、情報配信装置２０から配信するスケジュール情報に、服用時刻そのものを組み込むようにしても良い。この構成によれば、スケジュール情報に、例えば「朝食後」といった服用時期を示す情報と服用時刻「８：００」とが含まれている場合、「朝食後」という情報に対して時刻設定手段３３１により設定された時刻と、服用時刻「８：００」との両方の時刻に服用報知を行うことができる。
【００９５】
また、テレビ３０により医薬品の服用を促すための報知を行うものとしたが、内服薬に限らず、外用薬についても適用可能である。すなわち、本発明の「医薬品の服用」とは、インシュリンの注射（接種）や、外用薬の使用（摂取）など、「医薬品の接種，摂取」を含む概念であり、これらを促す報知を行うことも可能である。
【００９６】
また、上記の例では、スケジュール情報として、医薬品の服用に関する情報を管理するものとしたが、その他の個人スケジュール（習い事の時間や、友人との約束、食事の献立など）についても管理可能である。この場合、リモコン３９による文字入力により、テレビ３０がスケジュール情報を取得することも可能である。但し、個人スケジュールを管理する場合は、図１５のフローチャートに示した処理（Ｓ１３）のように、服用実施の有無（スケジュール実行の有無）を保存しておく必要がない場合もあるため、その際は、そのスケジュール報知をユーザが確認した旨の情報入力（例えば、リモコン３９の「決定」ボタンの押下等）を行うことが好ましい。
【００９７】
また、報知形態として、ＬＥＤ表示や音報知など（図１３（ｂ）参照）、その内容を報知できない形態が選択された場合は、スケジュール報知を確認した旨の情報入力をトリガとして、その内容を表示画面３１上に表示することが好ましい。この構成によれば、簡易な報知形態であっても、必要に応じて、ユーザに対しスケジュール内容を提示することができる。
【００９８】
また、上記の例では、スケジュール情報毎に報知形態の選択やその詳細設定を行うものとしたが（図１２のＳ０４，Ｓ０５参照）、予めこれらの選択および設定を行っておき、取得したスケジュール情報は全てその設定値にしたがって報知制御を行うようにしても良い。この構成によれば、報知形態の選択やその詳細設定を、スケジュール情報の登録の度に行うといった手間を省くことができる。
【００９９】
また、上記の例では、情報配信装置２０が、処方箋５１毎に電子メールを送信するものとしたが、親子で処方を受けた場合など、複数人分を纏めて送信するようにしても良い。この構成によれば、情報配信装置２０による配信回数を少なくすることができ、電子メール送信に要するコストを削減することができる。
【０１００】
また、上記の例に示した、情報配信装置２０、テレビ３０、携帯電話４５、映像制御機器６０の各部（各機能）をプログラムとして提供することも可能である。また、そのプログラムを記録媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリスティック等）、コンパクトディスク、光磁気ディスク、デジタルバーサタイルディスクおよびフレキシブルディスク、ハードディスク等を利用可能である。
【０１０１】
また、上記の実施形態における服薬管理システム１０の例によらず、システム構成や装置構成等について、本発明の要旨を逸脱しない範囲で、適宜変更も可能である。
【図面の簡単な説明】
【０１０２】
【図１】本発明の一実施形態に係る服薬管理システムのシステム構成図である。
【図２】処方箋の一例を示す図である。
【図３】配信申込書の一例を示す図である。
【図４】連動表示画面の一例を示す図である。
【図５】報知画面の一例を示す図である。
【図６】情報配信装置の制御構成を示すブロック図である。
【図７】電子メール送信データの一例を示す図である。
【図８】テレビの制御構成を示すブロック図である。
【図９】時刻設定手段および調整時間設定手段による設定例を示す図である。
【図１０】処方歴表示手段による表示例を示す図である。
【図１１】服用履歴表示手段による表示例を示す図である。
【図１２】テレビのスケジュール登録処理を示すフローチャートである。
【図１３】図１２を補足説明するための画面表示例を示す図である。
【図１４】図１３に続く、画面表示例を示す図である。
【図１５】テレビの服用報知処理を示すフローチャートである。
【図１６】本発明の他の実施例を示すブロック図である。
【符号の説明】
【０１０３】
１０：服薬管理システム，２０：情報配信装置，３０：テレビ，３１：表示画面，３２：スピーカ，３３：メモリカードスロット，３４：赤外線受信部，３５：ＬＥＤ，３６：電源スイッチ，１１１：個人スケジュール表示部，１１２：番組表示部，１２１：テロップ表示，１２２：子画面表示，ＤＣ：子画面表示画面，ＤＧ：連動表示画面，ＤＴ：テロップ表示画面
【図１】
2007074068.tif 000003
【図２】
2007074068.tif 000004
【図３】
2007074068.tif 000005
【図４】
2007074068.tif 000006
【図５】
2007074068.tif 000007
【図６】
2007074068.tif 000008
【図７】
2007074068.tif 000009
【図８】
2007074068.tif 000010
【図９】
2007074068.tif 000011
【図１０】
2007074068.tif 000012
【図１１】
2007074068.tif 000013
【図１２】
2007074068.tif 000014
【図１３】
2007074068.tif 000015
【図１４】
2007074068.tif 000016
【図１５】
2007074068.tif 000017
【図１６】
2007074068.tif 000018